(57)【要約】【課題】タッチパネルに水圧等による圧力が加わっていてもタッチ操作のためのタッチ位置を適切に検出する。【解決手段】タッチパネル操作部１２０は押圧された押圧範囲を検出する。  圧力検出部１３０はタッチパネル操作部１２０に加わる水圧を検出する。範囲補正制御部１０１は、圧力検出部１３０によって水圧が検出されているときは、タッチパネル操作部１２０において検出された押圧範囲を補正する。操作制御部１０２は、範囲補正制御部１０１において補正された押圧範囲に基づいた処理を実行させる。【選択図】図１
2013045398.tif 000002
【特許請求の範囲】
【請求項１】
押圧された押圧範囲を検出するタッチパネル操作部、
前記タッチパネル操作部に加わる水圧を検出する圧力検出部、
前記圧力検出部によって水圧が検出されているときは、前記タッチパネル操作部において検出された前記押圧範囲を補正する範囲補正制御部、
前記範囲補正制御部において補正された前記押圧範囲に基づいた処理を実行させる操作制御部、
を備えることを特徴とする、タッチパネル装置。
【請求項２】
前記範囲補正制御部は、前記圧力検出部によって検出された水圧の値に応じて前記押圧範囲を補正することを特徴とする、
請求項１に記載のタッチパネル装置。
【請求項３】
前記範囲補正制御部は、前記タッチパネル操作部において検出された前記押圧範囲に対して、前記押圧範囲の外周部から前記押圧範囲を狭くするような補正を行うことを特徴とする、
請求項１または２に記載のタッチパネル装置。
【請求項４】
前記範囲補正制御部は、前記圧力検出部によって検出された水圧に応じて、前記タッチパネル操作部において検出された前記押圧範囲における所定の範囲を無効とする補正を行うことを特徴とする、
請求項１から３のいずれか１項に記載のタッチパネル装置。
【請求項５】
前記範囲補正制御部は、前記タッチパネル操作部において検出された前記押圧範囲に対して、前記タッチパネル操作部における前記押圧範囲の位置によって補正量を変更することを特徴とする、
請求項１から４のいずれか１項に記載のタッチパネル装置。
【請求項６】
押圧された押圧範囲を検出するタッチパネル操作部に加わる水圧を検出する圧力検出ステップ、
前記圧力検出ステップによって水圧が検出されていると判断された場合は、前記タッチパネル操作部において検出された前記押圧範囲を補正する範囲補正ステップ、
前記範囲補正ステップにおいて補正された前記押圧範囲に基づいた処理を実行させる操作制御ステップ、
を備えることを特徴とする、タッチ範囲補正方法。
【発明の詳細な説明】
【技術分野】
【０００１】
本発明は、タッチパネルに水圧等による圧力が加わっていてもタッチ操作のためのタッチ位置を適切に検出するタッチパネル装置、タッチ範囲補正方法に関する。
【背景技術】
【０００２】
近年、ポータブルメディアプレーヤやスマートフォン等の小型端末装置において、表示部にタッチパネルを適用した装置が普及している。また、このような装置において防水性能を有する製品もあり、水中での使用を想定した製品もある。
【０００３】
水中でのタッチ操作を行う製品においては抵抗膜式のタッチパネルを用いることが一般的であるが、近年は抵抗膜式のタッチパネルでもタッチ範囲を複数区画に分割することによるマルチタッチが可能なタッチパネルがある。
【先行技術文献】
【特許文献】
【０００４】
【特許文献１】特開２００８−２１０１９９号公報
【発明の概要】
【発明が解決しようとする課題】
【０００５】
マルチタッチが可能なタッチパネルを用いた製品を水中で使用すると、ユーザが操作のために押圧した箇所に加えて水圧によって広い範囲が押圧されてしまう。
【０００６】
特許文献１の技術は、抵抗膜方式のタッチパネル本体上面に化粧フィルムを貼り付けることによって防水性を確保している。
【０００７】
本発明はこのような問題点に鑑みなされたものであり、タッチパネルに水圧等による圧力が加わっていてもタッチ操作のためのタッチ位置を適切に検出するタッチパネル装置、タッチ範囲補正方法を提供することを目的とする。
【課題を解決するための手段】
【０００８】
上記目的を達成するために、第１の発明に係るタッチパネル装置（１０）は、押圧された押圧範囲を検出するタッチパネル操作部（１２０）、前記タッチパネル操作部（１２０）に加わる水圧を検出する圧力検出部（１３０）、前記圧力検出部（１３０）によって水圧が検出されているときは、前記タッチパネル操作部（１２０）において検出された前記押圧範囲を補正する範囲補正制御部（１０１）、前記範囲補正制御部（１０１）において補正された前記押圧範囲に基づいた処理を実行させる操作制御部（１０２）、を備えることを特徴とする。
【０００９】
第２の発明に係るタッチパネル装置（１０）は、第１の発明において、前記範囲補正制御部（１０１）は、前記圧力検出部（１３０）によって検出された水圧の値に応じて前記押圧範囲を補正することを特徴とする。
【００１０】
第３の発明に係るタッチパネル装置（１０）は、第１または第２の発明において、前記範囲補正制御部（１０１）は、前記タッチパネル操作部（１２０）において検出された前記押圧範囲に対して、前記押圧範囲の外周部から前記押圧範囲を狭くするような補正を行うことを特徴とする。
【００１１】
第４の発明に係るタッチパネル装置（１０）は、第１から第３のいずれか１の発明において、前記範囲補正制御部（１０１）は、前記圧力検出部（１３０）によって検出された水圧に応じて、前記タッチパネル操作部（１２０）において検出された前記押圧範囲における所定の範囲を無効とする補正を行うことを特徴とする。
【００１２】
第５の発明に係るタッチパネル装置（１０）は、第１から第４のいずれか１の発明において、前記範囲補正制御部（１０１）は、前記タッチパネル操作部（１２０）において検出された前記押圧範囲に対して、前記タッチパネル操作部（１２０）における前記押圧範囲の位置によって補正量を変更することを特徴とする。
【００１３】
第６の発明に係るタッチ範囲補正方法は、押圧された押圧範囲を検出するタッチパネル操作部（１２０）に加わる水圧を検出する圧力検出ステップ、前記圧力検出ステップによって水圧が検出されていると判断された場合は、前記タッチパネル操作部（１２０）において検出された前記押圧範囲を補正する範囲補正ステップ、前記範囲補正ステップにおいて補正された前記押圧範囲に基づいた処理を実行させる操作制御ステップ、を備えることを特徴とする。
【発明の効果】
【００１４】
本発明によれば、タッチパネルに水圧等による圧力が加わっていてもタッチ操作のためのタッチ位置を適切に検出することが可能である。
【図面の簡単な説明】
【００１５】
【図１】本発明の実施例に係るタッチパネル装置の構成ブロック図である。
【図２】本発明の実施例に係るタッチパネル装置の外観斜視図である。
【図３】本発明の実施例に係るタッチパネル装置の表示部およびタッチパネル操作部を中心とした断面概念図である。
【図４】本発明の実施例に係るタッチパネル装置の表示部およびタッチパネル操作部を中心とした断面概念図であり、水圧Ｐによって加圧された状態を示す。
【図５】本発明の実施例に係るタッチパネル操作部における操作範囲を示した概念図である。
【図６】本発明の実施例に係るタッチパネル操作部におけるタッチを検出した区画を示す概念図である。
【図７】本発明の実施例に係るタッチパネル操作部におけるタッチを検出した区画を示す概念図である。
【図８】本発明の実施例に係るタッチパネル操作部におけるタッチを検出した区画を補正した状態を示す概念図である。
【図９】本発明の実施例に係るタッチパネル装置の動作を表したフローチャートである。
【図１０】本発明の実施例に係るタッチパネル装置の動作を表したフローチャートである。
【図１１】本発明の実施例に係るタッチパネル装置の動作を表したフローチャートである。
【図１２】本発明の実施例に係るタッチパネル装置の動作を表したフローチャートである。
【図１３】本発明の実施例に係るタッチパネル装置におけるタッチを検出した区画を補正する補正テーブルの例である。
【図１４】本発明の実施例に係るタッチパネル操作部におけるタッチを検出した区画を補正した状態を示す概念図である。
【発明を実施するための形態】
【００１６】
以下、本発明の実施例におけるタッチパネル装置１０について、図１および図２により説明する。
【００１７】
タッチパネル装置１０は、装置に備えられたタッチパネルを用いて操作を可能とする携帯型の装置であり、例えばスマートフォン等の携帯電話、携帯型メディア装置、携帯型ナビゲーション装置（ＰＮＤ）、デジタルカメラ等の各種装置が該当する。
【００１８】
タッチパネル装置１０は、制御部１００、表示部１１０、タッチパネル操作部１２０、圧力検出部１３０を備える。
【００１９】
制御部１００は、例えば、ＣＰＵ（Central Processing Unit）、ＲＡＭ（Random Access Memory）、ＲＯＭ（Read Only Memory）、ＤＳＰ（Digital Signal Processor）等を備えて構成され、タッチパネル装置１０を構成する各部の制御や、タッチパネル装置１０で扱う各種データやファイルに対する処理を行う。
【００２０】
制御部１００におけるＣＰＵは、タッチパネル装置１０の各部からの操作信号やデータに基づき、ＲＯＭに記憶された各種プログラムをＲＡＭ上で実行することにより各部を制御し、各種データの処理を行う。
【００２１】
表示部１１０は、例えば液晶表示素子や有機ＥＬ（Electro Luminescence）表示素子等からなり、制御部１００の処理によって各種情報を表示する。また、制御部１００の処理によってタッチパネル操作部１２０における操作範囲８２に対応する位置に操作アイコン８０を表示する。
【００２２】
タッチパネル操作部１２０は、ユーザに押圧されたタッチ区画４２の座標を検出することにより検出した座標情報を制御部１００へ送信する。またタッチパネル操作部１２０は、複数のタッチ区画４２に対する押圧を検出可能であり、さらにタッチパネル操作部１２０への押圧を検出する抵抗膜方式のタッチパネルである。
【００２３】
圧力検出部１３０は、タッチパネル装置１０に加わる水圧等の圧力を検出し、水圧の検出有無または水圧の検出値を制御部１００に送出する。圧力検出部１３０は、例えば水圧センサ等によって構成される。圧力検出部１３０は、水圧センサ以外に例えばタッチパネル操作部１２０の押圧状態によって水圧等の圧力を検出してもよい。タッチパネル操作部１２０の押圧状態による水圧の検出とは、例えばユーザが押圧したタッチ区画４２に対して押圧が検出されたタッチ検出区画４４の数や範囲に基づき、水圧の概略値を求める。
【００２４】
制御部１００は、制御部１００における処理内容に応じた機能部として範囲補正制御部１０１および操作制御部１０２を備える。
【００２５】
範囲補正制御部１０１は、タッチパネル操作部１２０が押圧されることによって検出したタッチ範囲を、圧力検出部１３０が検出した水圧等の圧力に応じて補正する制御を行う。
【００２６】
操作制御部１０２は、タッチパネル操作部１２０が押圧されることによって検出したタッチ範囲に基づく各種操作を実行する処理を行う。
【００２７】
タッチパネル装置１０は、上述した構成要素に加えて、図示しない記憶部や他の装置との情報授受を行うインターフェース部、機械的な操作によって操作指示が入力される操作部、静止画や動画を撮影する撮像部等を必要に応じて備える。
【００２８】
図２に示すタッチパネル装置１０の外観斜視図について説明する。図２はタッチパネル装置１０の一例としての形態であり、本発明におけるタッチパネル装置１０はこのような形態に限定されない。タッチパネル装置１０を構成する面の一面には表示部１１０および表示部１１０に重ねて配置されたタッチパネル操作部１２０を有する。
【００２９】
表示部１１０には、タッチパネル装置１０の操作を指示する操作アイコン８０が表示される。操作アイコン８０の例として、図２に示すように楽曲データの再生を実行する「Ｍｕｓｉｃ」アイコン、動画データの再生または動画の撮影を行う「Ｖｉｄｅｏ」アイコン、静止画データの再生または静止画の撮影を行う「Ｐｈｏｔｏ」アイコン、Ｗｅｂブラウザを起動させＷｅｂデータを表示させる「Ｗｅｂ」アイコン、Ｅメールの送受信を行う「Ｍａｉｌ」アイコン、ラジオ放送を受信する「Ｒａｄｉｏ」アイコンが表示される。操作アイコン８０は上記に限らずタッチパネル装置１０が備える機能やアプリケーションに応じたものが表示される。また、表示部１１０に表示される操作アイコン８０の数や位置、大きさは限定されない。
【００３０】
次に、タッチパネル装置１０の断面概念図により、タッチパネル装置１０に外部から水圧等の圧力が加わった場合の状態を説明する。図３は、タッチパネル装置１０に水圧等の圧力が加わっていない状態の断面概念図であり、図４は、タッチパネル装置１０に水圧Ｐが加わった状態の断面概念図である。
【００３１】
図４および図５において、筐体２０はタッチパネル装置１０の本体を構成する部材であり、強化プラスチックやアルミニウム等により形成される。
【００３２】
また、タッチパネル装置１０においては、筐体２０によって表示部１１０、タッチパネル操作部１２０、保護パネル６０が保持されており、タッチパネル操作部１２０と保護パネル６０との間には隙間５０が形成される。
【００３３】
保護パネル６０は、例えばＰＥＴ（Polyethylene Terephthalate）等の透明樹脂素材などが用いられ、表示部１１０の外部からの視認性を確保するとともに、圧力を受けて撓むことによりタッチパネル操作部１２０を押圧可能な素材からなる。さらに保護パネル６０は、筐体２０とともに防水性能が確保されるように保持されており、保護パネル６０と筐体２０は図示しない防水テープ等により接着されている。
【００３４】
図４に示すように、タッチパネル装置１０が例えば水中にある場合は、水圧Ｐが加わることにより筐体２０は殆ど撓まず、保護パネル６０は水圧Ｐにより中心部からタッチパネル操作部１２０を押圧する。
【００３５】
次に、タッチパネル操作部１２０が抵抗膜式マルチタッチ形式のタッチパネルである場合の構造について図５および図６により説明する。抵抗膜式マルチタッチ形式のタッチパネル操作部１２０は、縦方向および横方向に複数の導電膜を配し、各々の導電膜が向かい合う部分を仮想的に１つの抵抗膜式タッチパネルとすることにより、複数個所のタッチを検出する。図５においては、各々の導電膜が向かい合って形成する各々の抵抗膜式タッチパネルをタッチ区画４２として示している。
【００３６】
各タッチ区画４２においては、各々１箇所の押圧点の位置を認識できる。図５におけるタッチパネル操作部１２０においては、一例として１３×１７のタッチ区画４２を有するタッチパネル操作部１２０として示している。また、タッチパネル操作部１２０には、図２に示したような操作アイコン８０の表示位置に対応した操作範囲８２が設定されている。操作範囲８２は、所定の操作範囲８２に属するタッチ区画４２が押圧されたことを検出された場合、所定の操作範囲８２に対応する操作アイコン８０として表示されている処理が実行される。
【００３７】
図６は操作範囲８２に対応しているタッチ区画４２がタッチ操作等によって押圧された場合を示している。図６において○印を付したタッチ区画４２を、押圧されているタッチ区画４２としてタッチ検出区画４４とする。この場合、タッチ検出区画４４は操作範囲８２に属しているため、図６における上部中央に位置する操作範囲８２に対応付けられている処理が実行される。
【００３８】
上述したようなタッチパネル操作部１２０を、例えば水中において使用した場合、図４に示すようにタッチパネル装置１０全体に水圧Ｐが加わる。水圧Ｐが加わることにより保護パネル６０が撓むため、図７に示すようにユーザが押圧したタッチ区画４２に加え、その周辺のタッチ区画４２も押圧されてしまう。
【００３９】
図７（ａ）は、ユーザが押圧したタッチ区画４２に加えてその周辺のタッチ区画４２がタッチ検出区画４４として制御部１００に認識されていることを示している。また、図７（ｂ）は図７（ａ）より深い水深で使用した例であり、図７（ａ）より強い水圧Ｐによって広い範囲のタッチ区画４２がタッチ検出区画４４として制御部１００に認識されていることを示している。
【００４０】
次に、図７に示したように水圧が加わることによってユーザが押圧したタッチ区画４２以上範囲におけるタッチ区画４２がタッチ検出区画４４として検出された場合に、検出したタッチ検出区画４４が範囲補正制御部１０１によって補正された例を図８に示す。
【００４１】
図８（ａ）および図８（ｂ）は、図７（ａ）および図７（ｂ）において検出されたタッチ検出区画４４を、範囲補正制御部１０１の制御により補正された例である。
【００４２】
図８において、●印を付したタッチ区画４４はタッチ検出区画４４として押圧が検出されるとともに範囲補正制御部１０１の制御によって無効とされる補正が行われたタッチ検出無効区画４５である。このため、図８においてはタッチ検出無効区画４５を除いたタッチ検出区画４４に基づいた処理が実行される。図８に示すように補正されたタッチ検出区画４４に基づく処理は、図２に示した操作アイコン８０が表示されている例の場合、「Ｖｉｄｅｏ」アイコンの操作に基づいた処理が実行される。
【００４３】
このように、水圧Ｐによってユーザが押圧したタッチ区画４２より広い範囲のタッチ区画４２がタッチ検出区画４４として認識された場合、範囲補正制御部１０１の制御によって押圧が検出された範囲の周辺を無効とする補正を行うことで、ユーザが押圧したタッチ区画４２と同一または同一に近い範囲のタッチ区画４２をタッチ検出区画４４として認識させ、補正されたタッチ検出区画４４に基づく処理が実行される。
【００４４】
このため、タッチパネル装置１０の水中における操作時、ユーザによる押圧操作を正確に認識し、誤動作等を防止することができる。
【００４５】
次に、上述したタッチ検出区画４４の補正処理について図９から図１３を用いて説明する。
【００４６】
先ず、図９において操作制御部１０２はタッチパネル操作部１２０へのタッチ操作が行われているか否かを判断する（ステップＳ１００）。この処理はタッチ区画４２のいずれかに対して押圧が検出された場合にタッチ操作が行われていると判断される。
【００４７】
ステップＳ１００においてタッチ操作が検出されていないと判断された場合は（ステップＳ１００：Ｎｏ）、ステップＳ１００の処理を再度繰り返すことにより、タッチパネル装置１０は継続的にタッチ操作の有無を確認する。
【００４８】
ステップＳ１００においてタッチ操作が検出されたと判断された場合は（ステップＳ１００：Ｙｅｓ）、制御部１００は圧力検出部１３０によって水圧Ｐが検出されているか否かを判断する（ステップＳ１０１）。
【００４９】
ステップS１０１において水圧Pが検出されていないと判断された場合は（ステップS１０１：Ｎｏ）、ステップＳ１００において検出されたタッチ操作におけるタッチ検出区画に基づき、操作制御部１０２は所定の処理を実行させる。
【００５０】
ステップＳ１０１において水圧Ｐが検出されたと判断された場合は（ステップＳ１０１：Ｙｅｓ）、範囲補正制御部１０１はステップＳ１０１において検出された水圧の圧力に応じてタッチ検出区画４４の範囲の補正を行う（ステップＳ１０２）。
【００５１】
ステップＳ１０２においてタッチ検出区画４４の補正が行われた後、操作制御部１０２は補正されたタッチ検出区画４４に基づく処理を実行させる（ステップＳ１０３）。
【００５２】
図１０は上述したステップＳ１０２の処理におけるフローチャートである。ステップＳ１０２におけるタッチ検出区画４４の補正では、先ず範囲補正制御部１０１がタッチ検出区画４４の範囲における中心となるタッチ検出区画を抽出する（ステップＳ１１０）。
【００５３】
次に、ステップＳ１１０において抽出された中心となるタッチ検出区画４４のみをタッチ操作されたタッチ検出区画４４として補正を行う（ステップＳ１１１）。
【００５４】
このような処理によって、タッチ検出区画４４の中心となるタッチ検出区画４４をタッチ操作されたタッチ検出区画４４とする補正を行うため、ユーザが押圧したタッチ区画４２と同一またはほぼ同一のタッチ区画をタッチ検出区画として、誤操作のないタッチ操作を行うことができる。
【００５５】
図１１は上述したステップＳ１０２におけるタッチ検出区画４４の他の補正処理におけるフローチャートである。ステップＳ１０２におけるタッチ検出区画４４の補正は、先ず範囲補正制御部１０１はタッチ検出区画４４の範囲における最外周のタッチ検出区画４４をタッチ検出無効区画４５とする補正を行う（ステップＳ１２０）。
【００５６】
ステップＳ１２０におけるタッチ検出区画４４のタッチ検出無効区画４５としての補正とは、認識されている複数のタッチ検出区画４４に対して例えば最外周に該当するタッチ検出区画４４をタッチ検出区画４４として認識しない処理を行うことによる補正などを行う。
【００５７】
ステップＳ１２０において最外周のタッチ検出区画４４をタッチ検出無効区画４５として補正した後、範囲補正制御部１０１はステップＳ１２０の補正によって補正されていないタッチ検出区画４４が所定数以上連続して存在しているか否かを判断する（ステップＳ１２１）。
【００５８】
ステップＳ１２１の処理は、例えば互いに隣接したタッチ検出区画４４が５個以上または３個以上など、所定数以上存在するか否かを判断する。
【００５９】
ステップＳ１２１において所定数以上存在すると判断された場合は（ステップＳ１２１：Ｎｏ）、ステップＳ１２０の処理を再度実行する。ステップＳ１２１において所定数以上存在しないと判断された場合は（ステップＳ１２１：Ｙｅｓ）、その時点で認識されているタッチ検出区画４４をタッチ操作されたタッチ区画４２として認識することによって、ユーザが押圧したタッチ区画と同一またはほぼ同一のタッチ検出区画４４を得ることができる。
【００６０】
図１２は、上述したステップＳ１０２におけるタッチ検出区画４４のさらに他の補正処理におけるフローチャートである。先ず範囲補正制御部１０１は圧力検出部１３０から出力された値によって制御部１００が取得した水圧値を取得する。（ステップＳ１３０）。次に範囲補正制御部１０１はステップＳ１３０によって取得した水圧値に基づいて、図１３に示す補正テーブルを用いた補正を行う。
【００６１】
図１３における補正テーブルによる補正の例としては、圧力検出部１３０によって検出された水圧が、例えば水深５ｍ未満における水圧である場合は補正を行わない。同様に水深５ｍ以上１０ｍ未満における水圧である場合にはタッチ検出区画４４における最外周から１区画分をタッチ検出無効区画４５として補正を行う。この例としては図８（ａ）のような補正である。
【００６２】
同様に水深１０ｍ以上１５ｍ未満における水圧である場合にはタッチ検出区画４４における最外周から２区画分をタッチ検出無効区画４５として補正を行う。この例としては図８（ａ）のような補正である。同様に水深１５ｍ以上２０ｍ未満における水圧である場合にはタッチ検出区画４４における最外周から３区画分をタッチ検出無効区画４５として補正を行う。さらに、水深２０ｍ以上の水圧である場合には全てのタッチ検出区画４４をタッチ検出無効区画４５とする補正を行う。これは、高い水圧によって保護パネル６０が大きく撓むことによって、ユーザが押圧したタッチ区画４２を特定できないためである。
【００６３】
図１３に示した補正テーブルは一例であり、タッチパネル操作部１２０の面積やタッチ区画４２の区画数、保護パネル６０の材質や厚さ等によって適切な値をとりうる。
【００６４】
また、本発明の実施例における範囲補正制御部１０１による補正処理は、水圧Ｐによるタッチ検出区画４４の中央にユーザが押圧したタッチ検出区画４４が存在することを前提として説明した。しかし実際には操作アイコン８０は表示部１１０の端部にも表示される。そのような操作アイコン８０に対しては、隙間５０を形成する筐体２０の存在により、端部に近いタッチ区画４２ほど水圧によって押圧されることはない。
【００６５】
図１４は、表示部１１０の端部に近い位置に表示されている操作アイコン８０を操作した場合における補正処理を表した例である。
【００６６】
図１４（ａ）は、表示部１１０の上方中央部に位置する操作アイコン８０を押圧した場合であり、このときの範囲補正制御部１０１による補正処理は、左右方向においては左右端に位置するタッチ検出区画４４をタッチ検出無効区画４５とする補正を行い、上下方向においては表示部１１０の上端部の反対方向に位置するタッチ検出区画４４をタッチ検出無効区画４５とする補正を行う。
【００６７】
図１４（ｂ）は、表示部１１０の上方左部に位置する操作アイコン８０を押圧した場合であり、このときの範囲補正制御部１０１による補正処理は、左右方向においては表示部１１０の左端部の反対方向に位置するタッチ検出区画４４をタッチ検出無効区画４５とする補正を行い、上下方向においては表示部１１０の上端部の反対方向に位置するタッチ検出区画４４をタッチ検出無効区画４５とする補正を行う。
【００６８】
また、タッチ検出区画４４の位置が表示部１１０の端部に近い場合は、範囲補正制御部１０１によってタッチ検出無効区画４５とするタッチ検出区画４４の範囲を狭く、または数を少なくしてもよい。具体的には、タッチ検出区画４４の位置が表示部１１０の中心部に近い場合は、水圧Ｐによって広い範囲が押圧されるために、範囲補正制御部１０１によってタッチ無効検出区画４５とするタッチ検出区画を多く設定する。また、タッチ検出区画４４の位置は表示部の端部に近い場合は、水圧Ｐによって押圧される範囲が制限されるために、範囲補正制御部１０１によってタッチ無効検出区画４５とするタッチ検出区画を少なく設定する。
【符号の説明】
【００６９】
１０：タッチパネル装置、２０：筐体、４２：タッチ区画、４４：タッチ検出区画、４５：タッチ検出無効区画、５０：隙間、６０：保護パネル、８０：操作アイコン、８２：操作範囲、１００：制御部、１０１：範囲補正制御部、１０２：操作制御部、１１０：表示部、１２０：タッチパネル操作部、１３０：圧力検出部
【図１】
2013045398.tif 000003
【図２】
2013045398.tif 000004
【図３】
2013045398.tif 000005
【図４】
2013045398.tif 000006
【図５】
2013045398.tif 000007
【図６】
2013045398.tif 000008
【図７】
2013045398.tif 000009
【図８】
2013045398.tif 000010
【図９】
2013045398.tif 000011
【図１０】
2013045398.tif 000012
【図１１】
2013045398.tif 000013
【図１２】
2013045398.tif 000014
【図１３】
2013045398.tif 000015
【図１４】
2013045398.tif 000016